(57)【特許請求の範囲】
【請求項１】
制御モジュール（３）によって制御される画面（１２）、および少なくとも２つの異なるタイプのマイクロプロセッサ（１、２）を含む無線通信端末（１０）であって、前記第１のタイプのマイクロプロセッサ（１）が前記端末（１０）のグラフィック能力を向上させ、前記画面（１２）の前記制御モジュール（３）を駆動し、前記第２のタイプのマイクロプロセッサ（２）が前記端末（１０）のその他の機能を取り扱い、前記端末が待機モードのとき、前記第２のタイプのマイクロプロセッサ（２）が前記画面（１２）の前記制御モジュール（３）を駆動する間は前記第１のタイプのマイクロプロセッサ（１）を非アクティブにし、
前記第１のタイプのマイクロプロセッサ（１）と前記第２のタイプのマイクロプロセッサ（２）が、データ伝送回線（８）を介して相互接続され、
前記第１のタイプのマイクロプロセッサ（１）が非アクティブにされる前に、情報が前記第１のタイプのマイクロプロセッサ（１）から前記第２のタイプのマイクロプロセッサ（２）に転送され、前記情報は、前記第２のタイプのマイクロプロセッサ（２）が前記画面（１２）の前記制御モジュール（３）を駆動する前に、前記第２のタイプのマイクロプロセッサ（２）が、前記端末（１０）の前記画面（１２）が表示されるべきであった状況を回復することを可能とするものであることを特徴とする無線通信端末（１０）。
【請求項２】
前記画面（１２）の前記制御モジュール（３）が、パラレルインタフェース（５）およびシリアルインタフェース（４）を有し、前記パラレルインタフェースが、パラレルバスリンク（７）を介して前記第１のタイプのマイクロプロセッサ（１）に接続され、前記シリアルインタフェース（４）が、シリアルバスリンク（６）を介して前記第２のタイプのマイクロプロセッサ（２）に接続されることを特徴とする請求項１に記載の無線通信端末（１０）。
【請求項３】
前記画面（１２）の前記制御モジュール（３）が、単一のパラレルインタフェース（５）を有し、前記端末（１０）が、パラレルバスリンクを介して前記画面（１２）の前記制御モジュール（３）の前記パラレルインタフェース（５）に接続される出力、およびパラレルバスリンクを介して前記第１および第２のタイプのマイクロプロセッサ（１、２）にそれぞれ接続される第１および第２の入力を有する外部マルチプレクサ（９）をさらに含むことを特徴とする請求項１に記載の無線通信端末（１０）。
【請求項４】
前記マルチプレクサ（９）が前記第２のタイプのマイクロプロセッサを有するチップに一体化されることを特徴とする請求項３に記載の無線通信端末（１０）。
【請求項５】
前記マルチプレクサ（９）が前記第２のタイプのマイクロプロセッサによって駆動されるコマンド（待機）を適用することによって制御され、前記マルチプレクサ（９）が、前記端末（１０）が待機モードであるかどうかに応じて前記第１および第２のマイクロプロセッサ（１、２）の間の画面の制御モジュール（３）へのアクセス優先度を扱うことができるようになることを特徴とする請求項３に記載の無線通信端末（１０）。
【請求項６】
前記マルチプレクサ（９）が、前記第２のタイプのマイクロプロセッサによって駆動されるコマンド（待機）を適用することによって制御され、前記マルチプレクサ（９）が、前記端末（１０）が待機モードであるかどうかに応じて前記第１および第２のマイクロプロセッサ（１、２）の間の画面の制御モジュール（３）へのアクセス優先度を扱うことができるようになることを特徴とする請求項４に記載の無線通信端末（１０）。
【請求項７】
前記第１のタイプのマイクロプロセッサ（１）が前記端末（１０）のマルチメディア機能の処理に専用であることを特徴とする請求項１に記載の無線通信端末（１０）。
【請求項８】
前記第１のタイプのマイクロプロセッサ（１）が前記端末（１０）のマルチメディア機能の処理に専用であることを特徴とする請求項２に記載の無線通信端末（１０）。
【請求項９】
前記第１のタイプのマイクロプロセッサ（１）が前記端末（１０）のマルチメディア機能の処理に専用であることを特徴とする請求項３に記載の無線通信端末（１０）。
【請求項１０】
前記第１のタイプのマイクロプロセッサ（１）が前記端末（１０）のマルチメディア機能の処理に専用であることを特徴とする請求項４に記載の無線通信端末（１０）。
【請求項１１】
前記第２のタイプのマイクロプロセッサ（２）がＧＳＭプロトコルに関連する機能の処理に専用であることを特徴とする請求項１に記載の無線通信端末（１０）。
【請求項１２】
前記第２のタイプのマイクロプロセッサ（２）がＧＳＭプロトコルに関連する機能の処理に専用であることを特徴とする請求項２に記載の無線通信端末（１０）。
【請求項１３】
前記第２のタイプのマイクロプロセッサ（２）がＧＳＭプロトコルに関連する機能の処理に専用であることを特徴とする請求項３に記載の無線通信端末（１０）。
【請求項１４】
前記第２のタイプのマイクロプロセッサ（２）がＧＳＭプロトコルに関連する機能の処理に専用であることを特徴とする請求項４に記載の無線通信端末（１０）。
【発明の詳細な説明】
【０００１】
【発明の属する技術分野】
本発明は、端末に一体化されたマルチメディアコンパニオンチップ（ＭＭＣＣ）の消費が最適化され、待機モードの端末の電池寿命が延びる無線通信端末に関する。
【０００２】
したがって本発明は、より詳細には、遠隔通信の分野に関し、特に、マルチメディアタイプの機能の実行に適したＧＳＭタイプ（ｇｌｏｂａｌ  ｓｙｓｔｅｍｆｏｒ  ｍｏｂｉｌｅ  ｃｏｍｍｕｎｉｃａｔｉｏｎｓ（移動通信用グローバルシステム）の頭文字）の無線通信端末の分野に関する。
【０００３】
【従来の技術】
図１は、こうした無線通信端末１０を示しており、無線通信端末１０は基本的に、受信機アンテナ１１、一般に液晶表示画面である画面１２、ナビゲーションキー１３、およびキーパッド１４を含む。また端末１０は、電池１５を内蔵し、電池と充電器を接続するコネクタ１６を有する。最後に端末１０は、様々なタイプのマイクロプロセッサチップを含めて、無線通信端末のすべての回路を受け入れるプリント回路ＩＭＰを有する。
【０００４】
従来の構造のＧＳＭ式無線通信端末では、液晶表示画面タイプの画面は、「ＧＳＭ」チップと呼ばれるチップに実装されたマイクロプロセッサによって制御される。このチップによって、フィールドバー、電池の状態などを画面に表示でき、ゲームでさえも実行できる。さらに、ＧＳＭ無線通信端末を介してマルチメディアタイプ機能を実行するために、マルチメディアコンパニオンチップ（ＭＭＣＣ）として知られる特別な構成部品がある。こうした構成部品は、例えば音声タイプまたはビデオタイプのマルチメディアアプリケーションを取り扱うことができるように、非常に高い信号処理能力を備えている。
【０００５】
その場合に生じる技術的問題は、ＭＭＣＣが従来の構造のＧＳＭ端末に一体化される場合の液晶表示画面の制御に関するものである。現在２つのマイクロプロセッサがあり、これらは、画面の制御に関連する情報を処理すると共に共存しなければならない。
【０００６】
残念ながら、コンパニオンチップは、高い表示パフォーマンスを要するため、画面に直接接続され、その結果これらの構成部品が画面へのアクセスを制御する。したがって、ＭＭＣＣがＧＳＭ無線通信端末の液晶表示画面の制御モジュールを駆動しなければならないことが一般に認められている。このために、こうした構成部品は一般に、画面上の画像に対応し、構成部品が画像を処理できるようにする内部ランダムアクセスメモリ（ＲＡＭ）を有する。
【０００７】
図２は、こうした構造を示している。この図では、マルチメディアコンパニオンチップ１がシリアルリンクを介してＧＳＭチップ２に接続され、ＧＳＭチップ２はＧＳＭプロトコルに関連する従来の機能を取り扱うために提供される。ＭＭＣＣ１と、移動無線通信端末の液晶表示画面を制御する制御モジュール３との間で情報を転送するために、パラレルバスリンクが提供される。
【０００８】
省エネは、ＧＳＭ無線通信端末の製造業者にとって極めて重要な問題であり、そのため、特に、無線通信端末が待機モードの間に、無線通信端末の電池の寿命をできるだけ良く最適化することが必要となる。その際、待機モードは、端末が単にネットワークを調査するだけで、何も送信しないことによって特徴付けられる。しかし、移動無線通信端末が待機モードのとき、液晶表示画面では、特にネットワークの状態、電池の状態などに関する情報により定期的にリフレッシュする必要がある。
【０００９】
上述したように、ＭＭＣＣをＧＳＭ無線通信端末に一体化することによって、画面制御モジュール自体がＭＭＣＣによって駆動される、図２に示した構造となる。
【００１０】
ＧＳＭ標準では、ネットワークを平均２．５秒ごとに一度調査する必要があることが規定されている。したがって、無線通信端末が待機モードのとき、ＧＳＭチップは、２．５秒ごとに一度ＭＭＣＣに転送する情報を潜在的に有する。
【００１１】
したがってＭＭＣＣは、液晶表示画面のリフレッシュ操作を行うために、待機モードを残しておかなければならない。その他のすべての場合、コンパニオンチップのスイッチがオフになるモードが実装される。コンパニオンチップは次いで、不要なすべてのリソースを非アクティブにして、待機モードにとどまる。
【００１２】
それにもかかわらず、ＧＳＭチップが制御モジュールを介して液晶表示画面を直接駆動する従来の移動無線通信端末の構造と比較すると、ＭＭＣＣが一体化される「インテリジェント」移動無線通信端末用の図２に示す構造では、単に液晶表示画面のリフレッシュの目的のために、端末が待機モードのときでさえ、ＭＭＣＣをスイッチオンにするよう要求される。
【００１３】
したがって、コンパニオンチップが特にマルチメディアタイプの情報の処理用に設計されている場合でさえも、ＭＭＣＣおよびそのメモリをスイッチオンにして単にネットワークの状態に関する情報を画面に表示できるようにすることによって、画面のリフレッシュの操作の実行が必要な待機操作の間中に、（特に漏洩電流のために）エネルギー消費がかなり増大することになる。
【００１４】
したがって、ＭＭＣＣが液晶表示画面の制御モジュールを駆動する、図２に示したような移動無線通信端末の構造では、端末が待機モードである場合、エネルギー消費の点からみると低いパフォーマンスを示す。
【００１５】
【発明が解決しようとする課題】
その結果、本発明の目的は、図２に示す構造の改良を提案することによって、上述した先行技術の欠点を低減し、インテリジェントな、すなわちＭＭＣＣを含むＧＳＭタイプの無線通信端末に、待機モードのときに標準移動無線通信端末の相当するパフォーマンスと同等のエネルギー消費パフォーマンスを提供することである。
【００１６】
【課題を解決するための手段】
このため、本発明では、無線通信端末が待機モードのときＭＭＣＣの使用を回避する。したがって本発明では、端末が通信しておらず、ネットワークを調査する機能のみを実行している待機モードでは、ＭＭＣＣを非アクティブとし、液晶表示画面をＧＳＭチップによって直接リフレッシュするようにする。
【００１７】
したがって本発明は、制御モジュールによって制御される画面、および少なくとも異なる２つのタイプのマイクロプロセッサを含む無線通信端末を提供する。前記第１のタイプのマイクロプロセッサは、前記端末のグラフィック能力を向上させ、画面の前記制御モジュールを駆動し、前記第２のタイプのマイクロプロセッサは、前記端末のその他の機能を取り扱う。この端末が待機モードのとき、前記第２のタイプのマイクロプロセッサが画面の前記制御モジュールを駆動する間は前記第１のタイプのマイクロプロセッサを非アクティブにすることを特徴とする。
【００１８】
例示の目的で非限定的に示した以下の説明を読み、添付の図面を参照することによって、本発明のその他の特徴および利点がより明らかになる。
【００１９】
【発明の実施の形態】
図３、４、５は、図２に関してすでに説明したものと同じエレメントを示す。したがって図３は、マルチメディアコンパニオンチップと呼ばれるチップに実装した第１のタイプのマイクロプロセッサ１を示す。コンパニオンチップ１は特に、そこに一体化される端末のマルチメディア機能の処理に専用となり、したがって端末のグラフィック能力が向上する。
【００２０】
第２のタイプのマイクロプロセッサ２は、「ＧＳＭ」チップと呼ばれる別のチップに実装される。ＧＳＭチップ２は、そこに一体化される無線通信端末のその他の機能、特にＧＳＭプロトコルの処理に関連する機能を処理するように設計されている。
【００２１】
図３は、シリアルインタフェース４およびパラレルインタフェース５を有する液晶表示画面を制御するモジュール３を示す。本発明のこの第１の実施形態では、両方のタイプのマイクロプロセッサ１および２が、液晶表示画面の制御モジュール３にそれぞれ接続されている。ＧＳＭチップ２には伝送する情報があまりないため、シリアルバスリンク６を介して制御モジュール３のシリアルインタフェースに接続され、一方ＭＭＣＣ１は、パラレルバスリンク７を介して制御モジュール３のパラレルインタフェースに接続される。また、ＧＳＭチップ２およびＭＭＣＣ１は、データ伝送回線８によって互いに接続される。任意の所与の瞬間に液晶表示画面の制御モジュールを担当するのは、一方のタイプのマイクロプロセッサのみであると仮定される。
【００２２】
この構成で、特にマルチメディアタイプアプリケーションの場合、液晶表示画面の制御モジュールはＭＭＣＣ１によって駆動され、ＧＳＭチップは端末のその他の機能を取り扱うように設計される。従来はＧＳＭチップ２が取り扱っていた、特にフィールドバー、電池の状態などの表示に関する情報が次いでデータ伝送回線８を介してコンパニオンチップ１に転送され、コンパニオンチップ１が画面上でこの情報の表示を制御する。
【００２３】
端末が待機モードに切り替わるとき、すなわち、端末はネットワークの調査のみを行い、ユーザが実行中のマルチメディアアプリケーションの停止を決心したとき、ＧＳＭチップ２は、シリアルバスリンク６を介した画面制御モジュール３の唯一のマスタになる。したがって、待機モードのときは、ＧＳＭチップ２のみが動作している。こうした状況で、ＭＭＣＣ１を非アクティブにする前に、情報がデータ伝送回線８を介してＭＭＣＣ１からＧＳＭチップ２に転送されて、ＧＳＭチップが、引き継いで画面制御モジュール自体を駆動する前に、駆動端末の画面が表示されるべきであった状況を回復できるようにしなければならない。
【００２４】
したがって、待機モードのときにＭＭＣＣおよびそのメモリを非アクティブにして、省エネの点からより高いパフォーマンスの達成を可能とすることができる。したがって、端末が待機モードである間のＧＳＭチップと、その他のすべての場合のＭＭＣＣとの間で液晶表示画面の制御モジュールを共有するために非アクティブ化機構が実装され、その結果、端末の待機中の電池の寿命を延ばす、あるいは少なくとも、ＭＭＣＣを使用しない標準無線通信端末の電池の寿命と同等にすることが可能となる。
【００２５】
液晶表示画面のすべての制御モジュールが図１に示したシリアルとパラレルの両方のタイプのインタフェースを備えているとは限らず、制御モジュールのほとんどは、パラレルインタフェースのみを有していることに注意されたい。図４は、こうした画面制御モジュールに適合可能な本発明の特定の実施形態を提案している。
【００２６】
したがって、図４の液晶表示画面制御モジュール３は、単一のパラレルインタフェース５を有する。これは１つの回路のみを制御モジュールに接続することができることを意味する。
【００２７】
したがって、図４の構造は、さらに外部２×１マルチプレクサ９を含み、その２つの入力はそれぞれ、パラレルバスタイプリンクを介して、ＭＭＣＣ１に実装された第１のタイプのマイクロプロセッサ、およびＧＳＭチップ２に実装された第２のタイプのマイクロプロセッサに接続される。マルチプレクサ９からの出力は、パラレルバスタイプリンクを介して液晶表示画面制御モジュール３のパラレルインタフェースに接続される。最後に、ＧＳＭチップ２および補助チップ１は、データ伝送回線８によって相互接続される。
【００２８】
マルチプレクサ９の役割は、ＭＭＣＣ１とＧＳＭチップ２の間の画面制御モジュール３へのアクセスの優先順位を制御することである。マルチプレクサ９によって、端末が待機モードのときにＧＳＭチップから入ってくるデータストリーム、あるいはその他の場合にＭＭＣＣから入ってくるデータストリームのいずれかを考慮することが可能となる。
【００２９】
このために、外部マルチプレクサ９は、例えばＧＳＭチップが駆動できる「待機」コマンドで制御される。したがって、端末が待機モードであり、ユーザが実行中のマルチメディアアプリケーションの停止を決定したとき、「待機」コマンドがＧＳＭチップによってマルチプレクサ９に適用され、画面制御モジュールを駆動するために考慮されるデータストリームは、ＧＳＭチップ２から入ってくるストリームとなる。次いで、ＭＭＣＣ１が非アクティブの間にＧＳＭチップ２が画面制御モジュール３を駆動して、待機モードの端末のエネルギー消費を最適化する。コンパニオンチップ１が、非アクティブになる前に、回線８を介してＧＳＭチップ２に情報を転送して、ＧＳＭチップ２が、引き継いで画面自体を駆動する前に、画面が表示されるべきであった状況を回復する。
【００３０】
逆に、端末がもはや待機モードではなく、ユーザがマルチメディアアプリケーションを開始したとき、「待機」コマンドはもはやマルチプレクサ９には適用されず、マルチプレクサによって考慮されるデータストリームは、ＭＭＣＣ１から入ってくるデータストリームとなり、ＭＭＣＣ１は次いで画面制御モジュール３を駆動する。コンパニオンチップ１がアクティブになったときに、データが回線８を介してＧＳＭチップ２からコンパニオンチップ１に伝送され、コンパニオンチップは次いで、従来ＧＳＭチップによって処理されていたフィールドバー、電池の状態などの情報を考慮に入れるというようにして画面を引き続き駆動する。
【００３１】
最後に、図５の実施形態は、図４に関連して上記で述べた実施形態の変形形態を示す。この変形形態では、使用する構成部品の数を最小限に抑えるために、従来のＧＳＭチップの改良型が実装される。このように、図４のマルチプレクサ９は、ＧＳＭチップ２に有利に一体化されるが、追加の入出力を要する。その他の点では、様々な構成部品の間の接続は、図４に示すものと同じものとなる。マルチプレクサ９をＧＳＭチップ２に一体化することにより、図４に関連して上記で述べたものとは機能的には何も変わらないが、コストおよび小型化の点に関して図４の構造をさらに最適化することが可能となり、また、待機モードのときの端末の電池の寿命を最適化することが可能となる。
【図面の簡単な説明】
【図１】標準無線通信端末を示す図である。
【図２】標準構造の無線通信端末へのＭＭＣＣの一体化に関連する欠点を示す図である。
【図３】本発明の第１の実施形態を示す図である。
【図４】本発明の第２の実施形態を示す図である。
【図５】本発明の第３の実施形態を示す図である。
【符号の説明】
１  マルチメディアコンパニオンチップ
２  ＧＳＭチップ
３  制御モジュール
４  シリアルインタフェース
５  パラレルインタフェース
６  シリアルバスリンク
７  パラレルバスリンク
８  データ伝送回線
９  外部マルチプレクサ
１０  無線通信端末
１１  受信機アンテナ
１２  画面
１３  ナビゲーションキー
１４  キーパッド
１５  電池
１６  コネクタ
【図１】
0004458399.tif 000002
【図２】
0004458399.tif 000003
【図３】
0004458399.tif 000004
【図４】
0004458399.tif 000005
【図５】
0004458399.tif 000006